(57)【特許請求の範囲】
【請求項１】
空気中での放電によりＨ+（Ｈ2Ｏ）ｍ（ｍは任意の自然数）から成る正イオンとＯ2-（Ｈ2Ｏ）ｎ（ｎは任意の自然数）から成る負イオンとを発生するイオン発生部を備え、
前記イオン発生部から発生したイオン及びイオンにより生成されるヒドロキシラジカル（・ＯＨ）または過酸化水素（Ｈ2Ｏ2）から成る活性種を肌表面に接触させて肌表面の皮脂の増加を抑制することを特徴とする皮脂増加抑制装置。
【請求項２】
開口面を有する有底の容器と、高電圧の印加により放電して前記容器内にＨ+（Ｈ2Ｏ）ｍ（ｍは任意の自然数）から成る正イオンとＯ2-（Ｈ2Ｏ）ｎ（ｎは任意の自然数）から成る負イオンとを発生するイオン発生部とを備え、
前記開口面を肌表面により塞いで前記容器内を密閉した状態で駆動された前記イオン発生部からイオンを発生してイオン及びイオンにより生成されるヒドロキシラジカル（・ＯＨ）または過酸化水素（Ｈ2Ｏ2）から成る活性種を肌表面に接触させて肌表面の皮脂の増加を抑制することを特徴とする皮脂増加抑制装置。
【請求項３】
イオンが接触する肌表面を加温する加温装置を備えたことを特徴とする請求項１または請求項２に記載の皮脂増加抑制装置。
【請求項４】
前記容器が人の顔を覆うマスク状に形成され、イオンが接触する肌表面を加温する加温装置が顔の額部分と鼻部分に沿って配されることを特徴とする請求項２に記載の皮脂増加抑制装置。
【発明の詳細な説明】
【技術分野】
【０００１】
本発明は、肌の皮脂を抑制する皮脂増加抑制装置に関する。
【背景技術】
【０００２】
近年、美容に関する意識が高まり、人の顔の毛穴が目立たないようにする美肌のニーズが男女を問わず高くなっている。毛穴には肌表面の皮脂が侵入し、皮脂が酸化して生成される過酸化物質が蓄積される。これにより、毛穴が開いて目立つようになる。
【０００３】
特許文献１には粘着性のシートを顔に貼り、毛穴に蓄積した過酸化物質を物理的に剥がし取る美肌方法が開示される。また、特許文献２には顔にクレンジングパックを塗布し、毛穴内の過酸化物質をクレンジングパックに吸着させて洗い流す美肌方法が開示される。
【先行技術文献】
【特許文献】
【０００４】
【特許文献１】特開平７−３３０５７５号公報（第３頁−第７頁、第３図）
【特許文献２】特開平７−１７３０３３号公報（第２頁−第３頁）
【特許文献３】特開平９−２１５７２４号公報（第３頁−第５頁、第１図）
【発明の概要】
【発明が解決しようとする課題】
【０００５】
しかしながら、上記特許文献１に開示された美肌方法によると、皮膚にシートが密着するため肌に必要な角質層まで剥離する。これにより、皮膚への負担が大きくなる問題があった。また、上記特許文献２に開示された美肌方法によると、クレンジングパックを塗布した後に洗い流すため手間がかかり、利便性が悪い問題があった。
【０００６】
本発明は、皮膚への負担が低く簡単に皮脂を抑制して毛穴を目立たなくすることができる皮脂増加抑制装置を提供することを目的とする。
【課題を解決するための手段】
【００１２】
上記目的を達成するために本発明の皮脂増加抑制装置は、空気中での放電によりＨ+（Ｈ2Ｏ）ｍ（ｍは任意の自然数）から成る正イオンとＯ2-（Ｈ2Ｏ）ｎ（ｎは任意の自然数）から成る負イオンとを発生するイオン発生部を備え、前記イオン発生部から発生したイオン及びイオンにより生成されるヒドロキシラジカル（・ＯＨ）または過酸化水素（Ｈ2Ｏ2）から成る活性種を肌表面に接触させて肌表面の皮脂の増加を抑制することを特徴としている。
【００１３】
また本発明の皮脂増加抑制装置は、開口面を有する有底の容器と、高電圧の印加により放電して前記容器内にＨ+（Ｈ2Ｏ）ｍ（ｍは任意の自然数）から成る正イオンとＯ2-（Ｈ2Ｏ）ｎ（ｎは任意の自然数）から成る負イオンとを発生するイオン発生部とを備え、前記開口面を肌表面により塞いで前記容器内を密閉した状態で駆動された前記イオン発生部からイオンを発生してイオン及びイオンにより生成されるヒドロキシラジカル（・ＯＨ）または過酸化水素（Ｈ2Ｏ2）から成る活性種を肌表面に接触させて肌表面の皮脂の増加を抑制することを特徴としている。
【００１４】
この構成によると、容器の開口面が肌表面で塞がれ、イオン発生部で発生した正イオン及び負イオンが容器内に充満する。肌表面には正イオン及び負イオンが接触するとともにこれらにより生成される活性種が接触する。これにより、肌表面の皮脂の増加が抑制されるとともに、肌表面の黄色ブドウ球菌が分解される。
【００１５】
また本発明は、上記構成の皮脂増加抑制装置において、イオンが接触する肌表面を加温する加温装置を備えたことを特徴としている。この構成によると、加温装置によって肌表面が加温されて毛穴が開き、毛穴内の皮脂の増加が抑制される。
【００１６】
また本発明は、上記構成の皮脂増加抑制装置において、前記容器が人の顔を覆うマスク状に形成され、イオンが接触する肌表面を加温する加温装置が顔の額部分と鼻部分に沿って配されることを特徴としている。この構成によると、額及び鼻部分の毛穴を開いて毛穴内の皮脂の増加が抑制される。
【発明の効果】
【００１８】
本発明によると、容器の開口面を肌表面で塞いだ状態で正イオン及び負イオンを発生して肌表面に接触させるので、皮膚への負担が低く簡単に皮脂を抑制して毛穴を目立たなくすることができる。また、イオンにより生成される活性種によって肌表面の黄色ブドウ球菌を分解し、肌荒れを防止することができる。
【図面の簡単な説明】
【００１９】
【図１】本発明の第１実施形態の美肌装置を示す斜視図
【図２】本発明の第１実施形態の美肌装置を示す正面図
【図３】本発明の第１実施形態の美肌装置を示す側面図
【図４】本発明の第１実施形態の美肌装置のイオン発生部を示す斜視図
【図５】本発明の第１実施形態の美肌装置のイオン発生部の要部を示す側面図
【図６】本発明の第１実施形態の美肌装置の他のイオン発生部を示す斜視図
【図７】イオンによる皮脂の抑制効果を説明する図
【図８】イオンによる黄色ブドウ球菌の抑制効果を説明する図
【図９】本発明の第１実施形態の美肌装置の動作を示すフローチャート
【図１０】本発明の第２実施形態の美肌装置を示す斜視図
【図１１】本発明の第２実施形態の美肌装置を示す背面図
【図１２】本発明の第２実施形態の美肌装置の装着状態を示す側面図
【発明を実施するための形態】
【００２０】
以下に本発明の実施形態を図面を参照して説明する。図１、図２、図３は第１実施形態の美肌装置を示す斜視図、正面図及び側面図である。美肌装置１は一面に開口面２ａを開口した有底筒状のカップ状に形成された容器２を有している。開口面２ａの周縁にはシリコンゴム等の弾性体から成るパッキン４が設けられる。パッキン４を肌表面に密着して開口面２ａを塞ぐことにより、容器２内が密閉されるようになっている。
【００２１】
容器２には電源コード５を介して電力供給されるヒーター６及びイオン発生部１０が取り付けられる。ヒーター６は容器２内に配されたガラス管ヒーター等により形成され、火傷を防止するために５０℃程度に発熱する。ヒーター６によって開口面２ａを塞ぐ肌表面を加温する加温装置が構成される。
【００２２】
図４はイオン発生部１０の斜視図を示している。イオン発生部１０は本体ケース１４により覆われ、本体ケース１４の上面には、例えば直径８ｍｍ程度に形成されたイオンの放出孔１４ａ、１４ｂが開口する。放出孔１４ａ、１４ｂ内には針状の放電電極１１ａ、１１ｂが配される。また、放電電極１１ａ、１１ｂの周囲に対向配置される環状の対向電極１２ａ、１２ｂが放出孔１４ａ、１４ｂに沿って配される。
【００２３】
図５はイオン発生部１０の電極部分の詳細を示す側面図である。対向電極１２ａ、１２ｂは接地され、放電電極１１ａ、１１ｂは本体ケース１４内に配される高圧電源１３に接続される。
【００２４】
一方の放電電極１１ａに接続される高圧電源１３は正の高圧パルス電圧（例えば、周波数６０Ｈｚ、尖頭電圧約２ｋＶ）を発生する。他方の放電電極１１ｂに接続される高圧電源１３は負の高圧パルス電圧（例えば、周波数６０Ｈｚ、尖頭電圧約２ｋＶ）を発生する。これにより、放電電極１１ａ、１１ｂの先端部と対向電極１２ａ、１２ｂとの間で放電が起こり、プラズマが発生する。生成されたプラズマによって空気中の酸素（Ｏ2）や水
（Ｈ2Ｏ）等の分子がエネルギーを受ける。
【００２５】
印加電圧が正電圧の場合は空気中の水分子が電離して水素イオン（Ｈ+）を生成する。
この水素イオンが溶媒和エネルギーにより空気中の水分子とクラスタリングしてＨ+（Ｈ2Ｏ）ｍ（ｍは任意の自然数）から成る正イオンを主として発生する。そして、放電電極１１ａを配した放出孔１４ａから正イオンが放出される。
【００２６】
印加電圧が負電圧の場合は空気中の酸素分子または水分子が電離して酸素イオンＯ2-を生成する。この酸素イオンが溶媒和エネルギーにより空気中の水分子とクラスタリングしてＯ2-（Ｈ2Ｏ）ｎ（ｎは任意の自然数）から成る負イオンを主として発生する。そして
、放電電極１１ｂを配した放出孔１４ｂから負イオンが放出される。
【００２７】
この時、正電圧の印加によって水素イオン（Ｈ+）の生成エネルギーである５．１２ｅＶ以上のエネルギーを与える必要がある。負電圧の印加によって酸素イオン（Ｏ2-）の生成エネルギーである０．４４ｅＶ以上のエネルギーを与える必要がある。一方、空気中の窒素から生成される人体に有害な窒素酸化物のイオン（ＮＯ2-、  ＮＯ3-）の生成エネルギーは９．７６ｅＶである。このため、９．７６ｅＶのエネルギーを与える電圧よりも低い印加電圧にする必要がある。また、オゾン（Ｏ3）の生成エネルギーは５．１２ｅＶで
あり、エネルギーが増加するとオゾンの発生量も増加する。
【００２８】
従って、放電電極１１ａに印加される正電圧は５．１２ｅＶ以上且つ５．１２ｅＶ近傍のエネルギーを与える電圧に設定される。また、放電電極１１ｂに印加される負電圧は正電圧と同様に５．１２ｅＶ以上且つ５．１２ｅＶ近傍のエネルギーを与える電圧にすることができる。該負電圧を０．４４ｅＶ以上５．１２ｅＶ未満のエネルギーを与える電圧に設定するとより望ましい。これにより、人体に無害なオゾンや窒素酸化物の発生を抑制してＨ+（Ｈ2Ｏ）ｍ及びＯ2-（Ｈ2Ｏ）ｎを主に発生させることができる。
【００２９】
Ｈ+（Ｈ2Ｏ）ｍ及びＯ2-（Ｈ2Ｏ）ｎは空気中で式（１）〜（３）に示すように、衝突
により酸化力の大きい活性種であるヒドロキシラジカル（・ＯＨ）や過酸化水素（Ｈ2Ｏ2）を生成する。ここで、ｍ’、ｎ’は任意の自然数である。ヒドロキシラジカルや過酸化水素から成る活性種は黄色ブドウ球菌を分解する。
【００３０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３１】
尚、図６に示すように、イオン発生部１０を平板状に形成して容器２の内面に設置してもよい。
【００３２】
図７は正イオン及び負イオンを室内に発生し、顔の肌表面の皮脂量の変化を調べた試験結果を示している。縦軸は皮脂量の変化率（単位：％）を示しており、横軸は時間（単位：ｈ）を示している。本試験において、室内には被験者１７名を滞在させている。図中、Ａ１は、被験者の顔付近において正イオン及び負イオンがそれぞれ２０万個／ｃｍ3の濃
度になるようにイオンを発生させている。また、比較のため、イオンを発生させていない状態を図中、Ｂ１に示す。
【００３３】
同図によると、イオンを発生させていない場合は試験開始から８時間経過すると皮脂量の増加量が１５０％以上になっている。これに対し、イオンを発生させた場合は試験開始から８時間経過すると皮脂量の増加量が５０％程度に抑制される。従って、肌表面に正イオン及び負イオンを照射することによって皮脂を抑制することができる。尚、図中、＊＊、＊は検定におけるｐ値を示し、それぞれｐ＜０．０１、ｐ＜０．０５を表わしている。
【００３４】
また、図８は正イオン及び負イオンを室内に発生し、顔の肌表面の黄色ブドウ球菌の菌数の変化を調べた試験結果を示している。縦軸は黄色ブドウ球菌の菌数の変化量（単位：ＣＦＵ／２．２５ｃｍ2）を示しており、横軸は時間（単位：ｈ）を示している。黄色ブ
ドウ球菌は悪玉菌として知られ、肌荒れの一因となるとともに、吹き出物、とびひ、アトピー性皮膚炎等の皮膚の病気に関係していると言われている。
【００３５】
本試験において、温度２６〜２８℃、湿度４０〜６０％に維持した６畳相当（床面積９．８ｍ2）の室内に被験者１５名を滞在させている。図中、Ａ２は、被験者の顔付近にお
いて正イオン及び負イオンがそれぞれ１０万個／ｃｍ3の濃度になるようにイオンを発生させている。また、比較のため、イオンを発生させていない状態を図中、Ｂ２に示す。
【００３６】
同図によると、イオンを発生させていない場合は試験開始から４時間後、８時間後において黄色ブドウ球菌の菌数が増加している。これに対し、イオンを発生させた場合は試験開始から４時間後、８時間後の黄色ブドウ球菌の菌数が減少する。従って、肌表面に正イオン及び負イオンを照射することにより、イオンから生成される活性種によって黄色ブドウ球菌を分解して増殖を抑制することができる。
【００３７】
尚、本試験においてエピデルミディス菌（表皮ブドウ球菌）の菌数の変化も同時に調べたところ、イオンの発生有無で菌数の変化に差はなかった。エピデルミディス菌は病原菌の体内への侵入を防ぐ善玉菌と言われており、イオンの影響を受けないことが実証された。
【００３８】
図７、図８の試験結果から、正イオン及び負イオンを肌表面に接触させると、皮脂を抑制するとともに黄色ブドウ球菌を分解して増殖を抑制することができる。これにより、毛穴を目立たなくするとともに肌荒れを防止して美肌効果が得られる。従って、美肌装置１の容器２の開口面２ａを肌表面により塞いでイオン発生部１０を駆動することにより、正イオン及び負イオンを簡単に肌表面に接触させて美肌効果を得ることができる。
【００３９】
図９は美肌装置１の動作を示すフローチャートである。容器２を肌表面に接触して運転を開始させると、ステップ＃１１でイオン発生部１０が駆動される。これにより、正イオン及び負イオンが容器２内に自然拡散して充満する。肌表面には正イオン及び負イオンが接触するとともにこれらにより生成される活性種が接触する。これにより、肌表面の皮脂の増加が抑制されるとともに黄色ブドウ球菌が分解される。
【００４０】
ステップ＃１２ではヒーター６により加温を行う設定か否かが判断される。加温を行わない設定の場合はステップ＃１４に移行する。加温を行う設定の場合はステップ＃１３でヒーター６が駆動される。これにより、肌表面の毛穴が開き、毛穴内の皮脂の増加が抑制される。
【００４１】
ステップ＃１４では運転停止の操作が行われたか否かが判断される。運転停止の操作が行われていない場合はステップ＃１５に移行し、所定時間（例えば、１５分）が経過したか否かが判断される。所定時間が経過していない場合はステップ＃１４、＃１５が繰り返される。運転停止の操作が行われた場合または所定時間が経過した場合はステップ＃１６に移行し、ヒーター６が停止される。ステップ＃１７ではイオン発生部１０が停止され、美肌装置１の運転が終了する。
【００４２】
本実施形態によると、容器２の開口面２ａを肌表面で塞いだ状態で正イオン及び負イオンを発生して肌表面に接触させるので、皮膚への負担が低く簡単に皮脂を抑制して毛穴を目立たなくすることができる。また、イオンにより生成される活性種によって肌表面の黄色ブドウ球菌を分解し、肌荒れを防止することができる。従って、所望の位置の肌表面に容器２を押し当てて簡単に美肌効果を得ることができる。
【００４３】
また、正イオンがＨ+（Ｈ2Ｏ）ｍから成り、負イオンがＯ2-（Ｈ2Ｏ）ｎ（ｍ、ｎは任
意の自然数）から成るので、確実に肌表面の皮脂を抑制して黄色ブドウ球菌を分解することができる。
【００４４】
また、容器２内でイオンを自然拡散させたのでファン等による送風を行わず、肌表面の乾燥を防止することができる。
【００４５】
また、イオンが接触する肌表面を加温するヒーター６（加温装置）を備えたので、毛穴を開いて毛穴内の皮脂を抑制することができる。
【００４６】
また、容器がカップ状に形成され、容器を把持して肌表面に開口面の周縁が押し当てられるので、簡単に肌表面にイオンを接触して美肌効果を得ることができる。
【００４７】
次に、図１０、図１１は第２実施形態の美肌装置１の斜視図及び背面図を示している。説明の便宜上、前述の図１〜図８に示す第１実施形態と同様の部分には同一の符号を付している。美肌装置１は人の顔Ｆ（図１２参照）を覆うマスク状の容器３を有している。容器３の上部には使用者の頭部に掛けて美肌装置１を保持するベルト７が設けられる。容器３の背面は開口面３ａを形成し、開口面３ａの周囲にはシリコンゴム等の弾性体から成るパッキン４が設けられる。
【００４８】
容器３の内面にはヒーター６が配される。ヒーター６は使用者の額に対向して横方向に延びる額部６ａと、鼻に対向して縦方向に延びる鼻部６ｂとを有したＴ字型に配される。ヒーター６の駆動によって皮脂の分泌が多い額や鼻部分を中心として顔全体の毛穴が開かれる。ヒーター６は容器３の内面への貼着や容器３の内部への埋め込み等により形成され、膜状発熱体やシリコンゴム皮膜で覆われた線状発熱体等を用いることができる。
【００４９】
図１２は美肌装置１の装着状態を示す側面図である。ベルト７を頭部に掛けてパッキン４が顔Ｆの周囲に密着すると、開口面３ａが塞がれて容器３内が密閉される。この時、容器３の内面と顔Ｆとの間には所定の隙間が形成される。
【００５０】
ベルト７の前部には第１実施形態と同様のイオン発生部１０が配され、正イオン及び負イオンを発生する。これにより、容器３の内部にはイオンＮが自然拡散して充満し、肌表面には正イオン及び負イオンが接触するとともにこれらにより生成される活性種が接触する。これにより、皮脂の増加が抑制されるとともに黄色ブドウ球菌が分解される。
【００５１】
本実施形態によると、第１実施形態と同様に、容器３の開口面３ａを肌表面で塞いだ状態で正イオン及び負イオンを発生して肌表面に接触させるので、皮膚への負担が低く簡単に皮脂を抑制して毛穴を目立たなくすることができる。また、イオンにより生成される活性種によって肌表面の黄色ブドウ球菌を分解し、肌荒れを防止することができる。従って、顔Ｆに容器３を装着して簡単に美肌効果を得ることができる。
【００５２】
また、容器３内でイオンを自然拡散させたのでファン等による送風を行わず、肌表面及び目の乾燥を防止することができる。
【００５３】
また、容器３が人の顔を覆うマスク状に形成され、開口面３ａの周縁にパッキン４を設けたので、容器３内を容易に密閉して顔全体にイオンを接触させることができる。
【００５４】
また、ヒーター６が顔Ｆの額部分と鼻部分に沿って配したので、皮脂の分泌が多い部分の毛穴を開いて美肌効果をより向上することができる。
【産業上の利用可能性】
【００５５】
本発明によると、肌の皮脂を抑制する美肌装置に利用することができる。
【符号の説明】
【００５６】
１    美肌装置
２、３  容器
２ａ、３ａ  開口面
４    パッキン
６    ヒーター
７    ベルト
１０    イオン発生部
１１ａ、１１ｂ  放電電極
１２ａ、１２ｂ  対向電極
１３    高圧電源
１４    ハウジング
【図１】
0005476420.tif 000002
【図２】
0005476420.tif 000003
【図３】
0005476420.tif 000004
【図４】
0005476420.tif 000005
【図５】
0005476420.tif 000006
【図６】
0005476420.tif 000007
【図７】
0005476420.tif 000008
【図８】
0005476420.tif 000009
【図９】
0005476420.tif 000010
【図１０】
0005476420.tif 000011
【図１１】
0005476420.tif 000012
【図１２】
0005476420.tif 000013